(57)【要約】【課題】ライフスタイルの変化に合わせて多様な使い方が可能な、仏壇セットの提供を目的とする。【解決手段】本考案の仏壇セット１は、前面に開口を有する筐体を備えた仏壇本体２と、支持台３とを備え、仏壇本体２は、支持台３に取り付けられた取付状態と、支持台３から取り外され、壁掛式仏壇として用いられる壁掛状態とすることが可能であり、仏壇本体２は、取付状態において、支持台３の上部側に仏具を含む物品が載置可能となるスペースが形成されるように、仏壇本体２の前後方向の幅が、支持台３の前後方向の幅よりも小さいことを特徴とする。【選択図】図１
0003203164.tif 000002
【実用新案登録請求の範囲】
【請求項１】
前面に開口を有する筐体を備えた仏壇本体と、前記仏壇本体が直接的に脱着可能に取り付けられ、床面に設置される支持台とを備えた仏壇セットであって、
前記仏壇本体は、前記支持台に取り付けられた取付状態と、前記支持台から取り外され、壁掛式仏壇として用いられる壁掛状態とすることが可能である仏壇セット。
【請求項２】
前面に開口を有する筐体を備えた仏壇本体と、前記仏壇本体が直接的に脱着可能に取り付けられ、収納部を有し、床面に設置される支持台とを備えた仏壇セットであって、
前記仏壇本体は、前記支持台に取り付けられた取付状態と、前記支持台から取り外され、壁掛式仏壇として用いられる壁掛状態とすることが可能である仏壇セット。
【請求項３】
前面に開口を有する筐体を備えた仏壇本体と、前記仏壇本体が間接的に脱着可能に取り付けられ、床面に設置される支持台とを備えた仏壇セットであって、
前記仏壇本体は、前記支持台に取り付けられた取付状態と、前記支持台から取り外され、壁掛式仏壇として用いられる壁掛状態とすることが可能である仏壇セット。
【請求項４】
前面に開口を有する筐体を備えた仏壇本体と、前記仏壇本体が間接的に脱着可能に取り付けられ、収納部を有し、床面に設置される支持台とを備えた仏壇セットであって、
前記仏壇本体は、前記支持台に取り付けられた取付状態と、前記支持台から取り外され、壁掛式仏壇として用いられる壁掛状態とすることが可能である仏壇セット。
【請求項５】
前記仏壇セットが、前記仏壇本体の下部と前記支持台の上部とに着脱可能に取り付けられる中間台を備え、前記仏壇セットが、
ｉ）前記仏壇本体、前記中間台および前記支持台とが取り付けられた支持台付き仏壇からなる第一形態と、
ｉｉ）前記仏壇本体および前記中間台とが取り付けられた、上置き型仏壇または壁掛け仏壇と、前記支持台とに分離された第二形態と、
ｉｉｉ）前記仏壇本体からなる壁掛仏壇と、前記支持台および前記中間台が接続された下台とに分離された第三形態と
の間で構造が変更可能に構成された請求項３または４に記載の仏壇セット。
【請求項６】
前記中間台が、
前記支持台の上部側に設けられた天面上に載置可能に構成された基板と、
前記基板上に設けられる台座部とを備え、
前記中間台が前記仏壇本体および前記支持台に取り付けられた状態で、前記仏壇本体、前記中間台および前記支持台の後部側で取り付けられており、前記基板の奥行が、前記仏壇本体の奥行および前記台座部の奥行よりも大きく、前記台座部の奥行が、前記仏壇本体の奥行以下である請求項５記載の仏壇セット。
【請求項７】
前記中間台の前記台座部が、前記仏壇セットの左右側となる前記基板の側部から立設する一対の側板と、前記一対の側板の上端を繋ぐ中間台天板とを備え、
前記仏壇セットの前記取付状態において、
前記中間台と前記仏壇本体とが、少なくとも前記中間台天板の下面に固定される第１接続部材により接続され、
前記中間台と前記支持台とが、少なくとも前記基板の上面に固定される第２接続部材により接続され、
前記中間台が、前記一対の側板、前記中間台天板、前記基板により囲まれた空間を、中間台の奥行方向に分離する中間台板状体が設けられ、
前記板状体の背面側で、前記第１接続部材および前記第２接続部材が固定されている請求項６記載の仏壇セット。
【考案の詳細な説明】
【技術分野】
【０００１】
本考案は仏壇セットに関する。
【背景技術】
【０００２】
現在、仏壇として様々な商品が販売されている。たとえば、須弥壇が設けられた仏壇本尊の他に、仏具を収納する引出しや、経机などが設けられた台が一体的に設けられた、比較的大型の台付き仏壇や、壁に掛けて使用される、比較的コンパクトな壁掛式仏壇などが知られている。
【０００３】
仏壇を設置する場所に、充分なスペースがある場合には、仏壇に多くの仏具やお花を置いてお祀りしたいという理由から、比較的大型の台付き仏壇を選択したいという需要がある。一方、近年では、将来子供に仏壇を引き継ぐときなどに、次世代に負担をかけたくないという理由から、予めコンパクトな仏壇が選択されることが多くなっている。また、転居や施設に入る場合など、住居が変わる場面を想定して、壁掛式仏壇など、コンパクトな仏壇が選択されることもある。
【考案の概要】
【考案が解決しようとする課題】
【０００４】
そこで、本考案はかかる問題点に鑑みて、ライフスタイルの変化に合わせて多様な使い方が可能な、仏壇セットの提供を目的とする。
【課題を解決するための手段】
【０００５】
（１）本考案の仏壇セットは、前面に開口を有する筐体を備えた仏壇本体と、前記仏壇本体が直接的に脱着可能に取り付けられ、床面に設置される支持台とを備えた仏壇セットであって、前記仏壇本体は、前記支持台に取り付けられた取付状態と、前記支持台から取り外され、壁掛式仏壇として用いられる壁掛状態とすることが可能であることを特徴とする。
【０００６】
（２）また、本考案の他の形態の仏壇セットは、前面に開口を有する筐体を備えた仏壇本体と、前記仏壇本体が直接的に脱着可能に取り付けられ、収納部を有し、床面に設置される支持台とを備えた仏壇セットであって、前記仏壇本体は、前記支持台に取り付けられた取付状態と、前記支持台から取り外され、壁掛式仏壇として用いられる壁掛状態とすることが可能であることを特徴とする。
【０００７】
（３）また、本考案の他の形態の仏壇セットは、前面に開口を有する筐体を備えた仏壇本体と、前記仏壇本体が間接的に脱着可能に取り付けられ、床面に設置される支持台とを備えた仏壇セットであって、前記仏壇本体は、前記支持台に取り付けられた取付状態と、前記支持台から取り外され、壁掛式仏壇として用いられる壁掛状態とすることが可能であることを特徴とする。
【０００８】
（４）また、本考案の他の形態の仏壇セットは、前面に開口を有する筐体を備えた仏壇本体と、前記仏壇本体が間接的に脱着可能に取り付けられ、収納部を有し、床面に設置される支持台とを備えた仏壇セットであって、前記仏壇本体は、前記支持台に取り付けられた取付状態と、前記支持台から取り外され、壁掛式仏壇として用いられる壁掛状態とすることが可能であることを特徴とする。
【０００９】
（５）また、上記（３）および（４）の仏壇セットにおいて、前記仏壇セットが、前記仏壇本体の下部と前記支持台の上部とに着脱可能に取り付けられる中間台を備え、前記仏壇セットが、ｉ）前記仏壇本体、前記中間台および前記支持台とが取り付けられた支持台付き仏壇からなる第一形態と、ｉｉ）前記仏壇本体および前記中間台とが取り付けられた、上置き型仏壇または壁掛け仏壇と、前記支持台とに分離された第二形態と、ｉｉｉ）前記仏壇本体からなる壁掛仏壇と、前記支持台および前記中間台が接続された下台とに分離された第三形態との間で構造が変更可能に構成されていることが好ましい。
【００１０】
（６）また、上記（５）の仏壇セットにおいて、前記中間台が、前記支持台の上部側に設けられた天面上に載置可能に構成された基板と、前記基板上に設けられる台座部とを備え、前記中間台が前記仏壇本体および前記支持台に取り付けられた状態で、前記仏壇本体、前記中間台および前記支持台の後部側で取り付けられており、前記基板の奥行が、前記仏壇本体の奥行および前記台座部の奥行よりも大きく、前記台座部の奥行が、前記仏壇本体の奥行以下であることが好ましい。
【００１１】
（７）また、上記（６）の仏壇セットにおいて、前記中間台の前記台座部が、前記仏壇セットの左右側となる前記基板の側部から立設する一対の側板と、前記一対の側板の上端を繋ぐ中間台天板とを備え、前記仏壇セットの前記取付状態において、前記中間台と前記仏壇本体とが、少なくとも前記中間台天板の下面に固定される第１接続部材により接続され、前記中間台と前記支持台とが、少なくとも前記基板の上面に固定される第２接続部材により接続され、前記中間台が、前記一対の側板、前記中間台天板、前記基板により囲まれた空間を、中間台の奥行方向に分離する中間台板状体が設けられ、前記板状体の背面側で、前記第１接続部材および前記第２接続部材が固定されていることが好ましい。
【考案の効果】
【００１２】
本考案の仏壇セットによれば、ライフスタイルの変化に合わせて多様な使い方が可能となる。
【図面の簡単な説明】
【００１３】
【図１】本考案の一実施形態の仏壇セットを示す正面図である。
【図２】図１の仏壇セットの仏壇本体の前扉を開いた状態を示す正面図である。
【図３】図１の仏壇セットの側面図である。
【図４】図１の仏壇セットの仏壇本体を背面側から見た図である。
【図５】図１の仏壇セットの仏壇本体を分離して壁掛仏壇とした状態を示す正面図である。
【図６】図５の仏壇セットの側面図である。
【図７】本考案の他の実施形態の仏壇セットを示す正面図である。
【図８】図７の仏壇セットの仏壇本体の前扉を開いた状態を示す正面図である。
【図９】図７の仏壇セットの側面図である。
【図１０】（ａ）は、図７の仏壇セットの中間台を示す正面図であり、（ｂ）は、（ａ）に示す中間台の側面図である。
【図１１】図１０（ａ）のＡ−Ａ線断面図である。
【図１２】図１０（ａ）のＢ−Ｂ線断面図である。
【図１３】図７の仏壇セットの接合箇所を示す縦断面図である。
【図１４】図７の仏壇セットの仏壇本体を分離して壁掛仏壇とした状態を示す正面図である。
【図１５】図１４の仏壇セットの側面図である。
【図１６】仏壇本体と中間台とが接合された上置き型仏壇を示す正面図である。
【考案を実施するための形態】
【００１４】
以下、添付図面を参照し、本考案の仏壇セットを詳細に説明する。
【００１５】
＜第１実施形態＞
図１〜図３に示されるように、本考案の第１実施形態の仏壇セット１は、前面に開口Ｓ（図２参照）を有する筐体を備えた仏壇本体２と、仏壇本体２が直接的に脱着可能に取り付けられ、床面に設置される支持台３とを備えている。なお、仏壇セット１を構成する各部材は、基本的には木材により形成されているが、仏壇セット１を構成する各部材の材料は特に限定されるものではない。
【００１６】
仏壇本体２は、仏具を収納または載置することができ、仏様を祀る祭壇を有する。本実施形態では、仏壇本体２は、図１〜図３に示されるように、前面が開放した略矩形状の筐体として形成されている。仏壇本体２は、図２〜図４に示されるように、仏壇本体２の下部を構成する底面２１と、仏壇本体２の背部を構成する背面２２と、仏壇本体２の側部を構成する一対の側面２３（図３および図４参照）と、仏壇本体２の上部を構成する天面２４とを備えている。本実施形態の仏壇本体２には、底面２１、背面２２、側面２３、天面２４により囲まれた仏壇本体２の筐体内には、図２に示されるように、仏具が祀られる須弥壇２５、仏壇本体２の前面側の開口から引き出し可能な膳引き２６、筐体内部を照らす光源を有する照明部２７などが設けられている。なお、仏壇本体２は、図示する形状、構造に限定されるものではなく、公知の他の形状、内部構造としてもよい。たとえば、仏壇本体２は、後述する中間台４を一体化したような土台部を有する構造としてもよい。
【００１７】
また、本実施形態の仏壇本体２は、図１および図２に示されるように、仏壇本体２の前面側の開口Ｓが、一対の前扉２８ａ、２８ｂにより覆われている。前扉２８ａ、２８ｂは、それぞれ仏壇本体２の側面２３にヒンジ接続により、開閉可能に取り付けられている。また、本実施形態では、図１に示されるように、前扉２８ａ、２８ｂはそれぞれ２枚の戸板Ｐ１、Ｐ２を備え、２枚の戸板Ｐ１、Ｐ２は互いにヒンジ接続され、折れ戸式に開閉される（図２参照）。なお、前扉２８ａ、２８ｂは仏壇本体２の開口Ｓを開閉可能であればよく、前扉２８ａ、２８ｂの形状や構造は特に限定されない。たとえば、本実施形態では、前扉２８ａ、２８ｂは合計４枚の戸板Ｐ１、Ｐ２から構成されているが、１枚または２枚の戸板から構成されていてもよく、前扉を構成する戸板の枚数は特に限定されない。また、本実施形態では、前扉２８ａ、２８ｂは垂直軸周りに旋回するように構成されているが、前扉は水平軸周りに旋回するものであってもよいし、スライド式に開閉されるものであってもよい。また、仏壇本体に前扉を設けずに、仏壇本体の前面側が常時開放した開放型の仏壇本体であっても構わない。
【００１８】
仏壇本体２の背面２２（背面２２のうち、仏壇本体２の外側を向いた一方の面）には、図４に示されるように、壁掛け用の壁面取付部２９が設けられている。壁面取付部２９は、仏壇本体２が壁掛式に用いられる場合に、壁面にビス等により取り付けた掛止部材（図示せず）に、壁面取付部２９を係合させることにより、壁面上で仏壇本体２を支持することができる。本実施形態では、壁面取付部２９は、略半円状に切り欠かれた係止部２９ａを有し、壁面に取り付けられた略円形または半円形状の掛止部材に係止部２９ａが係止され、仏壇本体２を壁面に取り付けて、壁掛け式の仏壇とすることができる。
【００１９】
支持台３は、仏壇本体２を支持するように構成されている。本実施形態では、図１〜図３に示されるように、支持台３の上部側の天面３１に仏壇本体２が載置されている。また、本実施形態では、支持台３は、図１〜図３に示されるように、天面３１の他、一対の側面３２、背面３３を有している。また、本実施形態では、支持台３は、図１および図２に示されるように、１または複数（本実施形態では３つ）の抽斗３４ａ、３４ｂ、３４ｃ（収納部）を備えている。支持台３の下部側の抽斗３４ｃは、図３に示されるように、抽斗３４ｃの上部開口を覆う蓋体３５が、抽斗３４ｃの上部側に着脱可能に設けられ、蓋体３５が抽斗３４ｃに取り付けられたときに下部側の抽斗３４ｃが経机となるように構成されている。また、抽斗３４ｃから蓋体３５を取り外したときには、抽斗３４ｃの内部空間に、仏具などを収納することができる。なお、蓋体３５は、複数の抽斗３４ａ、３４ｂ、３４ｃのうち、他の抽斗３４ａ、３４ｂに取り付けることもでき、経机の高さを調整できるように構成されている。また、支持台３の下部側の抽斗３４ｃの下面の前方側には床面に当接するキャスターＣが取り付けられている。これにより、抽斗３４ｃの引き出し操作が容易となり、経机として使用したときに、抽斗３４ｃに荷重が加わっても、安定して使用することができる。なお、支持台３は、天面３１を有し、仏壇本体２を支持することができれば、図示する形状や構造に限定されるものではない。
【００２０】
本実施形態の仏壇セット１は、仏壇本体２が、図１〜図３に示されるように、支持台３に直接的に取り付けられた取付状態と、図５および図６に示されるような、支持台３から取り外され、壁掛式仏壇として用いられる壁掛状態とすることが可能である。このように、仏壇本体２と支持台３とが一体的に設けられた状態と、仏壇本体２と支持台３とを分離させて、仏壇本体２を壁掛式仏壇として用いることができる。したがって、仏壇セット１を、ライフスタイルなどに合わせた多様な使い方で使用することが可能となり、支持台３に仏壇本体２が取り付けられた取付状態では、立派な仏壇とすることができ、支持台３から仏壇本体２が取り外された壁掛状態ではコンパクトな仏壇として使用することができる。
【００２１】
＜第２実施形態＞
つぎに、図７〜図１６を参照し、第２実施形態の仏壇セット１０を説明する。第２実施形態の仏壇セット１０は、仏壇本体２および支持台３以外に、中間台４を備え、中間台４が仏壇本体２および支持台３に対して分離可能である点で、第１実施形態と異なる。以下、第１実施形態と共通する部分については説明を省略し、第１実施形態との相違点を中心に説明する。
【００２２】
本実施形態では、図７〜図９に示されるように、仏壇本体２と支持台３とが、仏壇本体２の下部と、支持台３の上部とに着脱可能に取り付けられる中間台４を介して間接的に取り付けられている。中間台４は、図７〜図９に示されるように、仏壇本体２とは別に祭壇として機能する。中間台４は、図７〜図９、図１０（ａ）および（ｂ）に示されるように、支持台３の上部側に設けられた天面３１上に載置可能に構成された基板４１と、基板４１上に設けられる台座部４２とを備えている。なお、本実施形態では、仏壇本体２と支持台３とが、中間台４を介して間接的に脱着可能に取り付けられているが、仏壇本体２と支持台３とは、中間台４以外の介装部材によって間接的に接続されていてもよい。
【００２３】
中間台４の台座部４２は、図１０（ａ）および（ｂ）に示されるように、仏壇セット１の左右側となる基板４１の側部から立設する一対の側板４２ａと、一対の側板４２ａの上端を繋ぐ中間台天板４２ｂとを備えている。また、中間台４には、図１０（ｂ）に示されるように、一対の側板４２ａ、中間台天板４２ｂ、基板４１により囲まれた空間内に、一対の側板４２ａ、中間台天板４２ｂ、基板４１に対して略垂直に設けられた板状体４３が設けられている。板状体４３は、図１０（ｂ）に示されるように、一対の側板４２ａ、中間台天板４２ｂ、基板４１により囲まれた空間を、中間台４の前側の空間Ｓａと後側の空間Ｓｂとに奥行方向で分離している。
【００２４】
本実施形態では、図７〜図９に示される、仏壇セット１０の取付状態（仏壇本体２、中間台４、および支持台３が取り付けられた台付き仏壇）において、中間台４と仏壇本体２とが、仏壇本体２の背面２２および中間台天板４２ｂの下面に固定される略Ｌ字状の第１接続部材Ｃ１（図９および図１３参照）により接続され、中間台４と支持台３とが、基板４１の上面および支持台３の背面３３に固定される略Ｌ字状の第２接続部材Ｃ２（図３９よび図１３参照）により接続される。
【００２５】
第１接続部材Ｃ１および第２接続部材Ｃ２は、たとえば金属製の板を折り曲げた接続金具とすることができ、仏壇本体２、中間台４、支持台３に、ボルト等の固定具により取り付けられる。本実施形態では、図１１〜図１３に示されるように、中間台天板４２ｂの下面側および基板４１の上面側に、それぞれ埋設穴が形成され、その埋設穴にインサートナットが埋設された、被固定部Ｅが形成されている。同様に、仏壇本体２の背面２２の下部側、および支持台３の背面３３の上部側にも、被固定部Ｅが形成されている。第１接続部材Ｃ１および第２接続部材Ｃ２には、被固定部Ｅの位置に対応する位置に、ボルト等の固定具Ｆが挿入される貫通孔が形成され、貫通孔に固定具Ｆを挿入して、被固定部Ｅに螺合することにより、第１接続部材Ｃ１および第２接続部材Ｃ２が、仏壇本体２と中間台４、中間台４と支持台３が接続される（図１３参照）。本実施形態では、固定具Ｆとして、図１３に示されるように、被固定部Ｅに設けられたインサートナットに螺合するボルトが用いられており、ワッシャＷＳ、バネワッシャＷＳ２を介して接続されている。なお、固定具Ｆや被固定部Ｅは、第１接続部材Ｃ１および第２接続部材Ｃ２を、仏壇本体２、中間台４、支持台３に固定できるものであれば、公知の構造を用いることができる。
【００２６】
このように、Ｌ字状の第１接続部材Ｃ１および第２接続部材Ｃ２を介して、仏壇本体２、中間台４、支持台３を取り付ける場合、第１および第２接続部材Ｃ１、Ｃ２や固定具Ｆが目立つことにより、仏壇の外観に影響を及ぼす可能性があるが、本実施形態では、上述した板状体４３が、図１３に示されるように、一対の側板４２ａ、中間台天板４２ｂ、基板４１により囲まれた空間を、中間台４の前側の空間Ｓａと後側の空間Ｓｂとに、中間台４の奥行方向に分離している。これにより、後側の空間Ｓｂにより、第１接続部材Ｃ１および第２接続部材Ｃ２の接合箇所を確保しつつ、板状体４３により前側の空間Ｓａと後側の空間Ｓｂとを遮蔽している。したがって、仏壇セット１０の取付状態で、第１および第２接続部材Ｃ１、Ｃ２、固定具Ｆなど、接合箇所を隠すことができ、見栄えのよい仏壇とすることができる。
【００２７】
なお、第１接続部材Ｃ１および第２接続部材Ｃ２は、本実施形態では、略Ｌ字状の部材として示しているが、第１接続部材Ｃ１および第２接続部材Ｃ２の形状は図示する形状に限定されるものではない。第１接続部材Ｃ１は、中間台４と仏壇本体２とを接続可能であり、少なくとも中間台天板４２ｂの下面において、その一部が固定されていればよい。また、第２接続部材Ｃ２は、中間台４と支持台３とを接続可能であり、少なくとも基板４１の上面において、その一部が固定されていればよい。
【００２８】
本実施形態では、仏壇本体２は、図７〜図９に示されるような、支持台３に取り付けられた取付状態と、図１４および図１５に示されるような、支持台３から取り外され、壁掛式仏壇として用いられる壁掛状態とすることが可能である。このように、仏壇本体２と支持台３とが一体的に設けられた状態と、仏壇本体２と支持台３とを分離させて、仏壇本体２を壁掛式仏壇として用いることができる。したがって、仏壇セット１０を、ライフスタイルなどに合わせた多様な使い方が可能となり、支持台３に仏壇本体２が取り付けられた取付状態では、立派な仏壇とすることができ、支持台３から仏壇本体２が取り外された壁掛状態ではコンパクトな仏壇として使用することができる。
【００２９】
また、より具体的には、本実施形態では、仏壇セット１０は、仏壇本体２、中間台４、および支持台３を備えることにより、図７〜図９に示されるように、仏壇本体２、中間台４および支持台３とが取り付けられた支持台付き仏壇と、図１６に示されるように、仏壇本体２および中間台４とが取り付けられた上置き型仏壇と、図１４および図１５に示されるように、仏壇本体２による壁掛仏壇との間で構造が変更可能に構成されている。このように、仏壇セットを、（１）仏壇本体２、中間台４および支持台３のセットとなる、豪華な台付き仏壇（第一形態）、（２）仏壇本体２および中間台４とがセットとなった、コンパクトで他の家具などの上に載せて使用する、コンパクトな上置き型仏壇（第二形態）、そして、（３）仏壇本体２による壁掛仏壇（第三形態）の３タイプで使用することができる。なお、図１４および図１５に示されるように、仏壇本体２を壁掛仏壇として用いる場合に、中間台４と支持台３とが接続された状態として祭壇として用いて、壁掛仏壇と、壁掛仏壇の下方に別途設けられた祭壇との組み合わせとして使用することもできるし、壁掛仏壇を単体で使用してもよい。また、上記第二形態において、仏壇本体２および中間台４とがセットとなった上置き型仏壇は、仏壇本体２および中間台４とがセットとなった壁掛け仏壇としてもよい。
【００３０】
また、本実施形態では、図９に示されるように、仏壇本体２は、取付状態において、支持台３の上部側に仏具を含む物品が載置可能となるスペースが形成されるように、仏壇本体２の奥行Ｗ１が、支持台３の奥行Ｗ２よりも小さくなるように構成されている。これにより、図９に示されるように、支持台３の上部側に仏壇本体２が取り付けられていても、支持台３の上部に仏具などを載置することができるため、空間の有効利用が可能となる。なお、本実施形態では、奥行Ｗ１は、前扉２８ａ、２８ｂの前面（前扉２８ａ、２８ｂが設けられない場合は、側面２３の前端）から背面２２の後面（または側面２３の後端）までの幅をいい、支持台３の奥行Ｗ２は、支持台３の（収納状態での）抽斗３４ａ、３４ｂ、３４ｃの前面から、支持台３の背面３３の後面（または側面３２の後端）までの幅をいう。また、奥行Ｗ２と奥行Ｗ１との長さの差は、仏具等を載置できる大きさであれば、特に限定されるものではない。
【００３１】
また、本実施形態では、図９に示されるように、中間台４は、仏壇本体２および支持台３に取り付けられた状態で、仏壇本体２、中間台４および支持台３の後部側で取り付けられており、基板４１の奥行Ｗ３（図１２参照）が、仏壇本体２の奥行Ｗ１および台座部４２の奥行Ｗ４（図１２参照）よりも大きく、台座部４２の奥行Ｗ４が、仏壇本体２の奥行Ｗ１以下となるように構成されている。このように、基板４１の奥行Ｗ３が、仏壇本体２の奥行Ｗ１および台座部４２の奥行Ｗ４よりも大きいことにより、図１６に示されるような上置き型仏壇として使用したときに仏壇が安定する。また、台座部４２の奥行Ｗ４を仏壇本体２の奥行Ｗ１以下とすることにより、支持台３の天面３１または基板４１上に仏具などを置いた場合に、台座部４２が邪魔とならず、仏具を置くスペースが確保される。なお、基板４１の奥行Ｗ３は、基板４１の前端から後端までの幅をいい、台座部４２の奥行Ｗ４は、台座部４２の側板４２ａの前端から後端までなど、台座部４２の前端から後端までの幅をいう。なお、奥行Ｗ３の大きさは特に限定されず、奥行Ｗ１と奥行Ｗ２との間であればよい。また、奥行Ｗ４は、奥行Ｗ１以下、より具体的には奥行Ｗ１の６０〜１００％であればよい。
【００３２】
また、本実施形態では、中間台４の高さが、１２〜２０ｃｍとなるように構成されている。この場合、仏壇セット１を、図７〜図９に示される台付き仏壇や、図１６に示される上置き型仏壇として使用したときに、支持台３の天面３１などに香炉などの仏具を置くことができるうえ、仏壇本体２に前扉２８ａ、２８ｂが設けられている場合に、前扉２８ａ、２８ｂを開閉したときに、支持台３の天面３１上などに置かれた香炉などと仏壇本体２の前扉２８ａ、２８ｂとが干渉しにくく、使い勝手がよくなる。
【符号の説明】
【００３３】
１、１０  仏壇セット
２  仏壇本体
２１  底面
２２  背面
２３  側面
２４  天面
２５  須弥壇
２６  膳引き
２７  照明部
２８ａ、２８ｂ  前扉
２９  壁面取付部
２９ａ  係止部
３  支持台
３１  天面
３２  側面
３３  背面
３４ａ、３４ｂ、３４ｃ  抽斗
３５  蓋体
４  中間台
４１  基板
４２  台座部
４２ａ  側板
４２ｂ  中間台天板
４３  板状体
Ｃ  キャスター
Ｃ１  第１接続部材
Ｃ２  第２接続部材
Ｅ  被固定部
Ｆ  固定具
Ｐ１、Ｐ２  戸板
Ｓ  開口
Ｓａ  前側の空間
Ｓｂ  後側の空間
Ｗ１  仏壇本体の奥行
Ｗ２  支持台の奥行
Ｗ３  基板の奥行
Ｗ４  台座部の奥行
ＷＳ  ワッシャ
ＷＳ２  バネワッシャ
【図１】
0003203164.tif 000003
【図２】
0003203164.tif 000004
【図３】
0003203164.tif 000005
【図４】
0003203164.tif 000006
【図５】
0003203164.tif 000007
【図６】
0003203164.tif 000008
【図７】
0003203164.tif 000009
【図８】
0003203164.tif 000010
【図９】
0003203164.tif 000011
【図１０】
0003203164.tif 000012
【図１１】
0003203164.tif 000013
【図１２】
0003203164.tif 000014
【図１３】
0003203164.tif 000015
【図１４】
0003203164.tif 000016
【図１５】
0003203164.tif 000017
【図１６】
0003203164.tif 000018
【手続補正書】
【提出日】平成28年1月19日(2016.1.19)
【手続補正１】
【補正対象書類名】実用新案登録請求の範囲
【補正対象項目名】全文
【補正方法】変更
【補正の内容】
【実用新案登録請求の範囲】
【請求項１】
前面に開口を有する筐体を備えた仏壇本体と、前記仏壇本体が直接的に脱着可能に取り付けられ、床面に設置される支持台とを備えた仏壇セットであって、
前記仏壇本体は、壁面取付部を有しており、前記支持台に取り付けられた取付状態と、前記支持台から取り外され、前記壁面取付部により壁掛式仏壇として用いられる壁掛状態とすることが可能である仏壇セット。
【請求項２】
前面に開口を有する筐体を備えた仏壇本体と、前記仏壇本体が直接的に脱着可能に取り付けられ、収納部を有し、床面に設置される支持台とを備えた仏壇セットであって、
前記仏壇本体は、壁面取付部を有しており、前記支持台に取り付けられた取付状態と、前記支持台から取り外され、前記壁面取付部により壁掛式仏壇として用いられる壁掛状態とすることが可能である仏壇セット。
【請求項３】
前面に開口を有する筐体を備えた仏壇本体と、前記仏壇本体が間接的に脱着可能に取り付けられ、床面に設置される支持台とを備えた仏壇セットであって、
前記仏壇本体は、壁面取付部を有しており、前記支持台に取り付けられた取付状態と、前記支持台から取り外され、前記壁面取付部により壁掛式仏壇として用いられる壁掛状態とすることが可能である仏壇セット。
【請求項４】
前面に開口を有する筐体を備えた仏壇本体と、前記仏壇本体が間接的に脱着可能に取り付けられ、収納部を有し、床面に設置される支持台とを備えた仏壇セットであって、
前記仏壇本体は、壁面取付部を有しており、前記支持台に取り付けられた取付状態と、前記支持台から取り外され、前記壁面取付部により壁掛式仏壇として用いられる壁掛状態とすることが可能である仏壇セット。
【請求項５】
前記仏壇セットが、前記仏壇本体の下部と前記支持台の上部とに着脱可能に取り付けられる中間台を備え、前記仏壇セットが、
ｉ）前記仏壇本体、前記中間台および前記支持台とが取り付けられた支持台付き仏壇からなる第一形態と、
ｉｉ）前記仏壇本体および前記中間台とが取り付けられた、上置き型仏壇または壁掛け仏壇と、前記支持台とに分離された第二形態と、
ｉｉｉ）前記仏壇本体からなる壁掛仏壇と、前記支持台および前記中間台が接続された下台とに分離された第三形態と
の間で構造が変更可能に構成された請求項３または４に記載の仏壇セット。
【請求項６】
前記中間台が、
前記支持台の上部側に設けられた天面上に載置可能に構成された基板と、
前記基板上に設けられる台座部とを備え、
前記中間台が前記仏壇本体および前記支持台に取り付けられた状態で、前記仏壇本体、前記中間台および前記支持台の後部側で取り付けられており、前記基板の奥行が、前記仏壇本体の奥行および前記台座部の奥行よりも大きく、前記台座部の奥行が、前記仏壇本体の奥行以下である請求項５記載の仏壇セット。
【請求項７】
前記中間台の前記台座部が、前記仏壇セットの左右側となる前記基板の側部から立設する一対の側板と、前記一対の側板の上端を繋ぐ中間台天板とを備え、
前記仏壇セットの前記取付状態において、
前記中間台と前記仏壇本体とが、少なくとも前記中間台天板の下面に固定される第１接続部材により接続され、
前記中間台と前記支持台とが、少なくとも前記基板の上面に固定される第２接続部材により接続され、
前記中間台が、前記一対の側板、前記中間台天板、前記基板により囲まれた空間を、中間台の奥行方向に分離する中間台板状体が設けられ、
前記板状体の背面側で、前記第１接続部材および前記第２接続部材が固定されている請求項６記載の仏壇セット。
【手続補正２】
【補正対象書類名】明細書
【補正対象項目名】０００５
【補正方法】変更
【補正の内容】
【０００５】
（１）本考案の仏壇セットは、前面に開口を有する筐体を備えた仏壇本体と、前記仏壇本体が直接的に脱着可能に取り付けられ、床面に設置される支持台とを備えた仏壇セットであって、前記仏壇本体は、壁面取付部を有しており、前記支持台に取り付けられた取付状態と、前記支持台から取り外され、前記壁面取付部により壁掛式仏壇として用いられる壁掛状態とすることが可能であることを特徴とする。
【手続補正３】
【補正対象書類名】明細書
【補正対象項目名】０００６
【補正方法】変更
【補正の内容】
【０００６】
（２）また、本考案の他の形態の仏壇セットは、前面に開口を有する筐体を備えた仏壇本体と、前記仏壇本体が直接的に脱着可能に取り付けられ、収納部を有し、床面に設置される支持台とを備えた仏壇セットであって、前記仏壇本体は、壁面取付部を有しており、前記支持台に取り付けられた取付状態と、前記支持台から取り外され、前記壁面取付部により壁掛式仏壇として用いられる壁掛状態とすることが可能であることを特徴とする。
【手続補正４】
【補正対象書類名】明細書
【補正対象項目名】０００７
【補正方法】変更
【補正の内容】
【０００７】
（３）また、本考案の他の形態の仏壇セットは、前面に開口を有する筐体を備えた仏壇本体と、前記仏壇本体が間接的に脱着可能に取り付けられ、床面に設置される支持台とを備えた仏壇セットであって、前記仏壇本体は、壁面取付部を有しており、前記支持台に取り付けられた取付状態と、前記支持台から取り外され、前記壁面取付部により壁掛式仏壇として用いられる壁掛状態とすることが可能であることを特徴とする。
【手続補正５】
【補正対象書類名】明細書
【補正対象項目名】０００８
【補正方法】変更
【補正の内容】
【０００８】
（４）また、本考案の他の形態の仏壇セットは、前面に開口を有する筐体を備えた仏壇本体と、前記仏壇本体が間接的に脱着可能に取り付けられ、収納部を有し、床面に設置される支持台とを備えた仏壇セットであって、前記仏壇本体は、壁面取付部を有しており、前記支持台に取り付けられた取付状態と、前記支持台から取り外され、前記壁面取付部により壁掛式仏壇として用いられる壁掛状態とすることが可能であることを特徴とする。